(57)【要約】【課題】ケース本体が大きく変形されることを抑制できる携帯物品保持ケースを提供する。【解決手段】携帯物品保持ケース１０は、第１携帯物品１４を出し入れ自在に保持するものであり、第１クッション材３０とこれを覆うシート状の第１外皮材３４とを有するケース本体２０と、ケース本体２０の内部に設けられて第１携帯物品１４を収容する物品収容部２２とを備えている。また、携帯物品保持ケース１０は、第２クッション材４２とこれを覆うシート状の第２外皮材４４とを有し、ケース本体２０を補強する補強部２４を備えている。補強部２４は、第１携帯物品１４の挿入方向に対して直交する方向におけるケース本体２０の表面２０ｂに設けられている。補強部２４の第２クッション材４２は、ケース本体２０の第１クッション材３０よりも硬く形成されている。【選択図】図１
2017176204.tif 000002
【特許請求の範囲】
【請求項１】
人が携帯することが可能な大きさに形成された携帯物品を出し入れ自在に保持する携帯物品保持ケースであって、
弾力性のある第１クッション材と前記第１クッション材を覆うシート状の第１外皮材とを有するケース本体と、
前記ケース本体の表面に形成された開口を有し、前記ケース本体の内部に設けられて前記携帯物品を収容する物品収容部と、
弾力性のある第２クッション材と前記第２クッション材を覆うシート状の第２外皮材とを有し、前記ケース本体を補強する補強部とを備え、
前記補強部は、前記開口から前記物品収容部に前記携帯物品を挿入するときの挿入方向に対して直交する方向における前記ケース本体の表面に設けられており、
前記第２クッション材は、前記第１クッション材よりも硬く形成されている、携帯物品保持ケース。
【請求項２】
前記第１クッション材および前記第２クッション材は、同じ材料で形成されており、
前記第２クッション材は、前記第１クッション材よりも高密度で形成されている、請求項１に記載の携帯物品保持ケース。
【請求項３】
前記ケース本体は、平面視で略円形に形成されており、
前記開口は、前記ケース本体の上面に形成されており、
前記補強部は、前記ケース本体の表面に沿って平面視で円弧状に形成されている、請求項１または２に記載の携帯物品保持ケース。
【請求項４】
前記物品収容部の内面には、前記携帯物品を拭くことのできる柔軟な布材が設けられている、請求項１ないし３のいずれか１項に記載の携帯物品保持ケース。
【請求項５】
前記補強部の幅は、前記物品収容部の幅よりも広くされている、請求項４に記載の携帯物品保持ケース。
【請求項６】
前記第２外皮材の一部は、前記第２外皮材の他の部分よりも強度の大きい材料で形成されている、請求項４または５に記載の携帯物品保持ケース。
【請求項７】
前記補強部は、前記ケース本体の表面から水平方向に突出して設けられており、
前記補強部の上面の高さは、前記ケース本体の上面の高さよりも低くされている、請求項１ないし６のいずれか１項に記載の携帯物品保持ケース。
【発明の詳細な説明】
【技術分野】
【０００１】
本発明は、スマートフォン、携帯電話、メガネおよびデジタルカメラなどの携帯物品を保持する携帯物品保持ケースに関する。
【背景技術】
【０００２】
従来から、スマートフォン、携帯電話、メガネおよびデジタルカメラなど、人が携帯することが可能な大きさに形成された携帯物品を出し入れ自在に保持する携帯物品保持ケースがある。例えば、本件出願人の出願に係る下記特許文献１には、ケース本体と、ケース本体の内部に設けられた物品収容部とを備える携帯物品保持ケースが開示されている。この携帯物品保持ケースでは、ケース本体が弾力性のあるクッション材をシート状の外皮材で包んで構成されており、クッション材が物品収容部に収容された携帯物品を圧迫することで、携帯物品が物品収容部から抜け難くなっている。
【先行技術文献】
【特許文献】
【０００３】
【特許文献１】特開２０１６−７２９７号公報
【０００４】
しかし、特許文献１に開示された携帯物品保持ケースでは、ケース本体が柔らかい材料で形成されているため、物品収容部に大型の携帯物品や重量が大きい携帯物品を収容した場合に、ケース本体が大きく変形されて、携帯物品保持ケースのデザイン性や安定性が損なわれるおそれがあった。例えば、携帯物品保持ケースが動物やキャラクタの外形を模した形状である場合には、ケース本体の大きな変形により、その動物やキャラクタの特徴が分からなくなるおそれがあった。また、ケース本体の大きな変形により、携帯物品保持ケースおよび携帯物品の全体の重心位置がずれて、これらが転倒するおそれがあった。
【０００５】
本発明は上記問題に対処するためになされたものであり、ケース本体が大きく変形されることを抑制してデザイン性や安定性が損なわれることを防止できる、携帯物品保持ケースを提供することにある。
【発明の概要】
【０００６】
上記目的を達成するため、本発明に係る携帯物品保持ケースの特徴は、人が携帯することが可能な大きさに形成された携帯物品を出し入れ自在に保持する携帯物品保持ケースであって、弾力性のある第１クッション材と前記第１クッション材を覆うシート状の第１外皮材とを有するケース本体と、前記ケース本体の表面に形成された開口を有し、前記ケース本体の内部に設けられて前記携帯物品を収容する物品収容部と、弾力性のある第２クッション材と前記第２クッション材を覆うシート状の第２外皮材とを有し、前記ケース本体を補強する補強部とを備え、前記補強部は、前記開口から前記物品収容部に前記携帯物品を挿入するときの挿入方向に対して直交する方向における前記ケース本体の表面に設けられており、前記第２クッション材は、前記第１クッション材よりも硬く形成されていることにある。
【０００７】
この構成では、第１クッション材よりも硬く形成された第２クッション材を有する補強部によってケース本体を補強できる。補強部は、開口から物品収容部に携帯物品を挿入するときの挿入方向に対して直交する方向、換言すれば、物品収容部の形成方向（深さ方向）に直交する方向におけるケース本体の表面に設けられているので、物品収容部に大型の携帯物品や重量が大きい携帯物品を収容した場合でも、ケース本体は変形され難い。したがって、例えば、携帯物品保持ケースが動物やキャラクタの外形を模した形状である場合には、動物やキャラクタの特徴を保持できる。また、携帯物品保持ケースが机や台の上に置かれる場合には、重心位置のずれによる携帯物品保持ケースおよび携帯物品の転倒を防止できる。
【０００８】
また、補強部は、弾力性のある第２クッション材と第２クッション材を覆うシート状の第２外皮材とを有しており、ケース本体の変形に追従して伸縮できるので、ケース本体と補強部との境界部に過度な力が加わり難い。したがって、物品収容部に大型の携帯物品や重量が大きい携帯物品を収容した場合でも、携帯物品保持ケースは損傷され難い。
【０００９】
本発明の他の特徴は、前記第１クッション材および前記第２クッション材は、同じ材料で形成されており、前記第２クッション材は、前記第１クッション材よりも高密度で形成されていることにある。
【００１０】
この構成では、第１クッション材および第２クッション材が同じ材料で形成されているので、これらが異なる材料で形成されている場合に比べて、材料の入手や管理が容易である。
【００１１】
本発明の他の特徴は、前記ケース本体は、平面視で略円形に形成されており、前記開口は、前記ケース本体の上面に形成されており、前記補強部は、前記ケース本体の表面に沿って平面視で円弧状に形成されていることにある。
【００１２】
例えば、携帯物品保持ケースを動物の頭部に模した形状に形成する場合には、ケース本体が略球状に構成されるので、ケース本体の平面視形状は略円形になる。上記構成では、補強部が、平面視で略円形に形成されたケース本体の表面に沿って平面視で円弧状に形成されているので、前後方向および左右方向において、ケース本体を効果的に補強できる。
【００１３】
本発明の他の特徴は、前記物品収容部の内面には、前記携帯物品を拭くことのできる柔軟な布材が設けられていることにある。
【００１４】
この構成では、物品収容部に収容された携帯物品を柔軟な布材で拭くことができる。携帯物品を柔軟な布材で拭くとき、使用者の手指で補強部を物品収容部側に押すと、その押圧力が補強部で拡散されて物品収容部に与えられる。したがって、物品収容部の内面に設けられた柔軟な布材を広い面積で携帯物品に押し当てることができ、携帯物品を効率よく拭くことができる。
【００１５】
本発明の他の特徴は、前記補強部の幅は、前記物品収容部の幅よりも広くされていることにある。
【００１６】
この構成では、補強部の幅が物品収容部の幅よりも広いので、使用者の手指で補強部を物品収容部側に押したときには、物品収容部の内面に設けられた柔軟な布材を物品収容部に収容された携帯物品の幅方向における全範囲に押し当てることができ、携帯物品を効率よく拭くことができる。
【００１７】
本発明の他の特徴は、前記第２外皮材の一部は、前記第２外皮材の他の部分よりも強度の大きい材料で形成されていることにある。
【００１８】
携帯物品保持ケースの全体を「ぬいぐるみ」として構成する場合などには、手触り感を重視して、ケース本体の第１外皮材および補強部の第２外皮材が柔軟な材料で形成されることがある。この場合、携帯物品を拭くために使用者が補強部を押すと、押された部分の第２外皮材が損傷されるおそれがある。上記構成では、第２外皮材の一部は、第２外皮材の他の部分よりも強度の大きい材料で形成されているので、当該一部を押すことにより第２外皮材の損傷を防止できる。
【００１９】
本発明の他の特徴は、前記補強部は、前記ケース本体の表面から水平方向に突出して設けられており、前記補強部の上面の高さは、前記ケース本体の上面の高さよりも低くされていることにある。
【００２０】
この構成において、補強部の上面にメガネのフロント部を載置すると、フロント部の背面側にケース本体の上部が位置する。したがって、メガネのテンプル部でケース本体の上部を挟むことができ、メガネが携帯物品保持ケースから落下することを防止できる。
【図面の簡単な説明】
【００２１】
【図１】本発明の実施形態に係る携帯物品保持ケースの構成を示す斜視図である。
【図２】携帯物品保持ケースの構成を示す分解斜視図である。
【図３】携帯物品保持ケースの構成を示す正面図である。
【図４】携帯物品保持ケースの構成を示す平面図である。
【図５】図３におけるＶ−Ｖ線断面図である。
【図６】携帯物品保持ケースの使用状態を示す断面図である。
【図７】携帯物品保持ケースの他の使用状態を示す斜視図である。
【発明を実施するための形態】
【００２２】
以下、本発明に係る携帯物品保持ケースの実施形態について図面を参照しながら説明する。なお、以下の説明で用いる前・後・左・右・上・下の各方向は、図中に矢印で示した方向と一致する。
【００２３】
図１は、本発明の実施形態に係る携帯物品保持ケース１０の構成を示す斜視図である。図１に示す携帯物品保持ケース１０は、スマートフォン、携帯電話、デジタルカメラおよびメガネなどの人が携帯することが可能な大きさに形成された携帯物品を一時的に保管するための入れ物である。なお、図１では、後述する物品収容部２２に収容される第１携帯物品１４と、後述する載置面４６に載置される第２携帯物品１８とを二点鎖線（仮想線）で示している。本実施形態において、第１携帯物品１４はスマートフォンであり、第２携帯物品１８はメガネである。
【００２４】
（携帯物品保持ケース１０の構成）
図２は、携帯物品保持ケース１０の構成を示す分解斜視図である。図３は、携帯物品保持ケース１０の構成を示す正面図である。図４は、携帯物品保持ケース１０の構成を示す平面図である。図５は、図３におけるＶ−Ｖ線断面図である。図２に示すように、携帯物品保持ケース１０は、ケース本体２０と、物品収容部２２と、補強部２４と、物品クリーナー２６とを備えている。本実施形態の携帯物品保持ケース１０は、所謂イヌのぬいぐるみとして構成されており、ケース本体２０と物品収容部２２と補強部２４とを合わせた部分がイヌの頭部（両耳を除く）の外形を模した形状に形成されており、物品クリーナー２６がイヌの両耳の外形を模した形状に形成されている。
【００２５】
図１に示すように、ケース本体２０は、イヌの頭部の主要部を構成する部分であり、平面視形状が略円形（図４）となるように、略球状または略楕円状に構成されている。図５に示すように、ケース本体２０は、弾力性のある第１クッション材３０と、物品受け体３２と、第１クッション材３０および物品受け体３２を覆うシート状の第１外皮材３４とを有している。
【００２６】
第１クッション材３０は、ケース本体２０に弾性を持たせるとともに、物品収容部２２に収容された第１携帯物品１４（図１）を圧迫して、第１携帯物品１４が物品収容部２２から抜け難くするためものであり、弾力性のあるポリエステル製の綿（わた）で形成されている。第１クッション材３０は、ケース本体２０の内部において、物品収容部２２および物品受け体３２の周囲に充填されている。なお、第１クッション材３０の材料は、本実施形態のポリエステル製の綿（わた）に限定されるものではなく、例えば、スポンジ、ウレタン、低反発素材および樹脂製ビーズなどの弾力性のある他の材料が用いられてもよい。
【００２７】
物品受け体３２は、携帯物品保持ケース１０を机や台などの上に置いたときに、物品収容部２２に収容された第１携帯物品１４（図１）を安定的に支持するためのものであり、袋体３２ａと袋体３２ａに収容された変形体３２ｂとを有している。変形体３２ｂは、第１携帯物品１４の荷重を受けて変形されるものであり、本実施形態では、多数の樹脂製ビーズが変形体３２ｂとして用いられている。図５に示すように、物品受け体３２の少なくとも一部は、物品収容部２２の直下に配置されており、物品受け体３２の重心Ｇは、物品収容部２２の直下の位置から前方にずれて配置されている。なお、変形体３２ｂの材料は、本実施形態の樹脂製ビーズに限定されるものではなく、スポンジ、ウレタン、低反発素材などが用いられてもよい。
【００２８】
第１外皮材３４は、ケース本体２０の外表面を構成するシート状の部材である。第１外皮材３４の材料は、特に限定されるものではなく、例えば、ファー、ボア、パイル、モヘアおよびシールなどの毛皮状素材を用いることができる。
【００２９】
図５に示すように、物品収容部２２は、ケース本体２０の上面２０ａに第１携帯物品１４（図１）を出し入れするための開口２２ａを有する袋状の部分である。図４に示すように、開口２２ａは、平面視において左右方向に長い楕円状に形成されている。物品収容部２２の左右方向幅Ｄ２（図３）、前後方向幅および深さ（上下方向長さ）は、第１携帯物品１４としてのスマートフォンの長さの略半分を収容可能なように定められている。したがって、物品収容部２２に第１携帯物品１４としてのスマートフォンを収容した状態では、スマートフォンの上部が物品収容部２２の外部に露出する。
【００３０】
図５に示す物品収容部２２の材料としては、第１携帯物品１４（図１）の表面にキズなどの損傷を与えないように、また、第１携帯物品１４を拭くことのできるように、ポリエステル製の超極細繊維からなる柔軟な布材が用いられている。つまり、物品収容部２２の内面には、第１携帯物品１４を拭くことのできる柔軟な布材が設けられている。なお、物品収容部２２の材料は、本実施形態のポリエステル製の超極細繊維に限定されるものではなく、他の繊維からなる柔軟な布材や皮材などが用いられてもよい。
【００３１】
図５に示す物品収容部２２は、ケース本体２０を形成する際に、ケース本体２０の内部に組み込まれる。つまり、ケース本体２０を形成する際には、第１クッション材３０および物品受け体３２が第１外皮材３４で包み込まれるとともに、第１外皮材３４と物品収容部２２とが縫合される。
【００３２】
図５に示すように、ケース本体２０を形成するとき、物品収容部２２の底部２２ｂと物品受け体３２との間には、第１携帯物品１４（図１）を受けるための紙や樹脂などからなる底板３６が設けられる。また、ケース本体２０の後面の下部には、イヌの尻尾の外形を模した形状の突起４０が設けられる。突起４０は、ケース本体２０が後方に傾くことを防止するための部分であり、ケース本体２０における後面の下部から後方に延びて棒状に形成された筒体４０ａと、筒体４０ａの内部に詰め込まれた綿（わた）４０ｂとを有している。
【００３３】
図１に示すように、補強部２４は、イヌの鼻および口の部分を構成する部分であり、平面視形状が略円弧状（図４）となるように、立体的に構成されている。図５に示すように、開口２２ａから物品収容部２２に第１携帯物品１４（図１）を挿入する方向を「挿入方向」と称するとき、補強部２４は、この挿入方向に対して直交する方向におけるケース本体２０の表面（本実施形態では前面）２０ｂから水平方向に突出して設けられている。
【００３４】
図５に示すように、補強部２４は、弾力性のある第２クッション材４２と、第２クッション材４２を覆うシート状の第２外皮材４４とを有している。第２クッション材４２は、第１クッション材３０と同じ弾力性のあるポリエステル製の綿（わた）を用いて、第１クッション材３０よりも高密度で形成されている。これにより、第２クッション材４２は、第１クッション材３０よりも硬くされている。したがって、補強部２４は、その上面（以下、載置面という。）４６に載置される第２携帯物品１８（図１）の荷重や、クリーニングの際に使用者の手指から与えられる押圧力などによって変形され難い。なお、第２クッション材４２の材料は、本実施形態のポリエステル製の綿（わた）に限定されるものではなく、例えば、スポンジ、ウレタン、低反発素材、樹脂製ビーズなどの弾力性のある他の材料が用いられてもよい。
【００３５】
第２外皮材４４は、補強部２４の外表面を構成するシート状の部材である。本実施形態の第２外皮材４４は、第２クッション材４２の大部分を覆う第１部分４４ａと、第２クッション材４２の一部（中央部）を覆う第２部分４４ｂとを有しており、第２部分４４ｂがイヌの鼻の外形を模した形状に形成されている。また、第２部分４４ｂは、使用者の手指で繰り返し押されたときでも容易に損傷されることのないように、第１部分４４ａよりも強度の大きい材料で形成されている。なお、第１部分４４ａの材料は、特に限定されるものではなく、例えば、第１外皮材３４と同じくファー、ボア、パイル、モヘアおよびシールなどの毛皮状素材を用いることができる。第２部分４４ｂの材料は、特に限定されるものではなく、例えば、樹脂などの材料を用いることができる。
【００３６】
図３に示すように、左右方向における補強部２４の幅Ｄ１は、左右方向における物品収容部２２の幅Ｄ２よりも広く形成されている。また、補強部２４の上面すなわち載置面４６の高さＨ１は、物品収容部２２の底部２２ｂの高さＨ２よりも高くされている。したがって、物品収容部２２に第１携帯物品１４を収容した際には、第１携帯物品１４の下部１４ａの幅方向における全範囲に対応するように補強部２４が配置される。なお、物品収容部２２に大型の第１携帯物品１４を収容すると、物品収容部２２が左右方向に拡大されることがあるが、本実施形態では、補強部２４の幅Ｄ１がケース本体２０の幅Ｄ３より広くされているので、物品収容部２２の幅は、補強部２４の幅Ｄ１よりも広くはならない。つまり、補強部２４によって物品収容部２２の過度な変形が抑制される。なお、補強部２４は、ケース本体２０の外表面における物品収容部２２の周囲であって、同周囲の全周のうちの１／３以上の長さの範囲で形成されているとよい。
【００３７】
図１に示す物品クリーナー２６は、第１携帯物品１４または第２携帯物品１８を拭くためのものであり、ケース本体２０とは別の部品として構成されている。図２に示すように、物品クリーナー２６は、前方または後方から見たときの形状が略Ｖ字状となる袋体４８を有している。本実施形態では、袋体４８の前面４８ａが、ケース本体２０の第１外皮材３４および第２外皮材４４の第１部分４４ａと同じ毛皮状素材で形成されており、袋体４８の後面４８ｂ（図５）が、物品収容部２２と同じ超極細繊維からなる柔軟な布材で形成されている。また、袋体４８の前面４８ａの両端部には、使用者の手指が挿入される挿指部５０が形成されている。図５に示すように、袋体４８の内部には、綿（わた）５２が詰め込まれている。
【００３８】
図２に示す物品クリーナー２６をケース本体２０に取り付ける際には、物品クリーナー２６の中央部５４が物品収容部２２に挿し込まれる。このとき、物品クリーナー２６の両端部は、物品収容部２２の外部に露出されてイヌの耳となる。図５に示すように、物品クリーナー２６の中央部５４が物品収容部２２に挿し込まれると、物品収容部２２の内面には、第１携帯物品１４（図１）を拭くことのできる柔軟な布材で形成された袋体４８の後面４８ｂが配置される。
【００３９】
（携帯物品保持ケース１０の作動）
次に、このように構成された携帯物品保持ケース１０の作動について説明する。図６は、携帯物品保持ケース１０の使用状態を示す断面図であり、図７は、携帯物品保持ケース１０の他の使用状態を示す斜視図である。
【００４０】
図１に示す第１携帯物品１４および第２携帯物品１８を一時的に保管するとき、使用者は、まず、携帯物品保持ケース１０を机や台などの上に置く。このとき、図６に示す物品受け体３２が机や台などの上面に沿って変形されるため、携帯物品保持ケース１０を安定させることができる。
【００４１】
続いて、使用者は、図６に示すように、第１携帯物品１４を携帯物品保持ケース１０の物品収容部２２に収納する。第１携帯物品１４を物品収容部２２に収納するとき、使用者は、物品収容部２２に物品クリーナー２６を挿し込んだ状態で第１携帯物品１４を挿し込んでもよいし、物品収容部２２から物品クリーナー２６を抜き出した状態で第１携帯物品１４を挿し込んでもよい。
【００４２】
図６に示すように、第１携帯物品１４を物品収容部２２に挿入するとき、柔軟な布材で形成された物品収容部２２の内面によって、第１携帯物品１４の表面に付着している汚れやごみを取り除くことができる。また、物品クリーナー２６における袋体４８の後面４８ｂによっても、第１携帯物品１４の表面に付着している汚れやごみを取り除くことができる。
【００４３】
また、使用者は、図１に示すように、第２携帯物品１８を携帯物品保持ケース１０の載置面４６に載置する。第２携帯物品１８を載置面４６に載置するとき、使用者は、第２携帯物品１８としてのメガネのフロント部１８ａを載置面４６に載置するとともに、当該メガネのテンプル部１８ｂをケース本体２０の左右方向両側に配置して、ケース本体２０を挟むようにしてもよい。
【００４４】
第２携帯物品１８（図１）を載置面４６に載置していないとき、使用者は、第１携帯物品１４を物品収容部２２に収容した状態でも、第１携帯物品１４の表面に付着している汚れやごみを取り除くことができる。以下、このクリーニング作業の具体例を説明する。
【００４５】
第１の具体例では、使用者は、第１携帯物品１４を物品収容部２２に収容した状態で、ケース本体２０と第１携帯物品１４とを同時に両手で握る。そして、物品収容部２２の外部に露出した物品クリーナー２６（イヌの耳の部分）における袋体４８の前面４８ａに親指を当てて、この親指を動かしながら袋体４８の後面４８ｂで第１携帯物品１４の表面を拭く。
【００４６】
図７に示すように、第２の具体例では、使用者は、左右の手でケース本体２０および第１携帯物品１４のそれぞれを把持し、ケース本体２０を把持した手（本実施形態では左手）の親指を第２外皮材４４の第２部分４４ｂ（イヌの鼻の部分）に当てて、この親指を動かしながら物品収容部２２の内面で第１携帯物品１４の表面を拭く。
【００４７】
（携帯物品保持ケース１０の効果）
本実施形態に係る携帯物品保持ケース１０によれば、上記構成により、以下の各効果を奏することができる。すなわち、図５に示すように、第１クッション材３０よりも硬く形成された第２クッション材４２を有する補強部２４によってケース本体２０を補強できる。補強部２４は、第１携帯物品１４（図１）の上記挿入方向に対して直交する方向におけるケース本体２０の表面２０ｂに設けられているので、物品収容部２２に大型の第１携帯物品１４や重量が大きい第１携帯物品１４を収容した場合でもケース本体２０は変形され難い。したがって、例えば、携帯物品保持ケース１０が動物やキャラクタの外形を模した形状である場合には、動物やキャラクタの特徴を保持できる。また、携帯物品保持ケース１０が机や台の上に置かれる場合には、重心位置のずれによる携帯物品保持ケース１０および第１携帯物品１４の転倒を防止できる。
【００４８】
また、補強部２４は、弾力性のある第２クッション材４２と第２クッション材４２を覆うシート状の第２外皮材４４とを有しており、ケース本体２０の変形に追従して伸縮するので、ケース本体２０と補強部２４との境界部に過度な力が加わり難い。したがって、物品収容部２２に大型の第１携帯物品１４（図１）や重量が大きい第１携帯物品１４を収容した場合でも、携帯物品保持ケース１０は損傷され難い。
【００４９】
図５に示す第１クッション材３０および第２クッション材４２は、同じ材料で形成されている。そして、第２クッション材４２は、第１クッション材３０よりも高密度で形成されることによって第１クッション材３０よりも硬くされている。したがって、第１クッション材３０および第２クッション材４２が異なる材料で形成されている場合に比べて、材料の入手や管理が容易である。
【００５０】
図４に示すように、ケース本体２０は、平面視で略円形に形成されており、補強部２４は、ケース本体２０の表面２０ｂに沿って平面視で円弧状に形成されているので、前後方向および左右方向において、補強部２４でケース本体２０を効果的に補強できる。
【００５１】
図５に示すように、物品収容部２２の内面には、柔軟な布材が設けられているので、この柔軟な布材で物品収容部２２に収容された第１携帯物品１４（図１）を拭くことができる。第１携帯物品１４を拭くとき、使用者の手指で補強部２４を物品収容部２２側に押すと、その押圧力が補強部２４で拡散されて物品収容部２２に与えられる。したがって、物品収容部２２の内面に設けられた柔軟な布材を広い面積で第１携帯物品１４に押し当てることができ、第１携帯物品１４を効率よく拭くことができる。
【００５２】
図３に示すように、補強部２４の幅Ｄ１は、物品収容部２２の幅Ｄ２よりも広くされているので、使用者の手指で補強部２４を物品収容部２２側に押したときには、物品収容部２２の内面に設けられた柔軟な布材を物品収容部２２に収容された第１携帯物品１４（図１）の幅方向における全範囲に押し当てることができ、第１携帯物品１４を効率よく拭くことができる。
【００５３】
使用者の手指で補強部２４を物品収容部２２側に押すとき、押された部分の第２外皮材４４の強度が小さいと、第２外皮材４４が損傷されるおそれがある。本実施形態では、第２外皮材４４の一部としての第２部分４４ｂは、第２外皮材４４の他の部分としての第１部分４４ａよりも強度の大きい材料で形成されているので、第２部分４４ｂを押すことにより第２外皮材４４の損傷を防止できる。
【００５４】
図１に示すように、補強部２４は、ケース本体２０の表面２０ｂから水平方向に突出して設けられている。また、図３に示すように、補強部２４の上面すなわち載置面４６の高さＨ１は、ケース本体２０の上面２０ａの高さＨ３よりも低くされており、載置面４６とケース本体２０の上面２０ａとの間に段差が生じている。したがって、図１に示すように、載置面４６に第２携帯物品１８（図１）としてのメガネのフロント部１８ａを載置すると、フロント部１８ａの背面側にケース本体２０の上部が位置し、テンプル部１８ｂでケース本体２０の上部を挟むことによって、メガネが載置面４６から落下することを防止できる。
【００５５】
（他の実施形態）
なお、本発明の実施にあたっては、上記実施形態に限定されず、本発明の目的を逸脱しない限りにおいて種々の変更が可能である。例えば、上記実施形態では、図５に示す第１クッション材３０および第２クッション材４２が同じ材料で形成されているが、これらは、異なる材料で形成されてもよい。この場合、硬さが異なる材料を用いることによって、第２クッション材４２を第１クッション材３０より硬くしてもよい。
【００５６】
また、図１に示すように、上記実施形態では、携帯物品保持ケース１０がイヌの外形を模した形状に形成されているが、例えば、イヌ以外の動物、植物、キャラクタ、建造物、構造物、美術品および食品のいずれかの外形を模した形状に形成されてもよい。
【００５７】
この場合、動物としては、例えば、愛玩動物（ネコ、小鳥、ねずみなど）、干支、各種野生動物（ライオン、カバ、キリン、コアラ、ラッコ、イルカ、クジラ、カメ、ヘビ、ワニ、カメレオンなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。植物としては、花（ヒマワリ、チューリップなど）や木（ヤシ、竹、スギなど）などが考えられる。キャラクタとしては、アニメ、映画、ＴＶドラマ、童話、昔話などの主人公や登場物、および擬人化した動植物（例えば、擬人化したネズミなど）などが考えられる。建造物としては、橋、鉄塔、ビルおよび寺社仏閣などが考えられる。構造物としては、車両（二輪車、四輪乗用車、消防車などの各種作業車など）、列車、船舶および飛行機などが考えられる。美術品としては、仏像およびモニュメントなどが考えられる。食品としては、ハンバーガー、フランクフルトソーセージおよびサンドイッチなどが考えられる。
【００５８】
これらの場合、物品クリーナー２６は、動物、植物、キャラクタ、建造物、構造物、美術品および食品における一部の外形を模して形成することができる。また、これらの場合、物品収容部２２は、第１携帯物品１４（図１）を鉛直方向に出し入れ可能に形成するほか、水平方向や斜め方向に出し入れ可能に形成することができる。これらより、携帯物品保持ケース１０の使用者は、携帯物品保持ケース１０のデザイン性に対して高い満足感を得ることができる。
【００５９】
上記実施形態では、第１携帯物品１４（図１）としてスマートフォンを用い、第２携帯物品１８（図１）としてメガネを用いているが、これらに代えて、時計、携帯電話機やタブレット型コンピュータなどの携帯端末装置、パソコン、デジタルカメラ、宝石などのジュエリー、鍵や化粧品などの小物物品などを用いるようにしてもよい。
【符号の説明】
【００６０】
１０…携帯物品保持ケース、１４…第１携帯物品、１８…第２携帯物品、
２０…ケース本体、２０ｂ…表面、２２…物品収容部、２２ａ…開口、２４…補強部、
３０…第１クッション材、３４…第１外皮材、４２…第２クッション材、
４４…第２外皮材、４６…載置面
【図１】
2017176204.tif 000003
【図２】
2017176204.tif 000004
【図３】
2017176204.tif 000005
【図４】
2017176204.tif 000006
【図５】
2017176204.tif 000007
【図６】
2017176204.tif 000008
【図７】
2017176204.tif 000009